(57)【要約】  端末装置がアップリンク用のリソース割当てを要求するために、ＰＵＣＣＨでＳＲ送信やＲＡＣＨの信号送信する場合、端末装置がＯｆｆ−ｓｔａｔｅのピコ基地局装置にこれらの信号を送信する問題があった。データ信号を送信する第１の状態とデータ信号を送信しない第２の状態を切り替えて端末装置に信号を送信する基地局装置であって、前記基地局装置の状態を管理する伝送状態管理部と、検知信号を生成する検知信号生成部を有し、前記伝送状態管理部に保持されている前記第１の状態又は前記第２の状態の情報に基づいて、前記検知信号生成部の信号の系列生成方法を変更して前記検知信号を送信する。
2015107942.tif 000002
【特許請求の範囲】
【請求項１】
データ信号を送信する第１の状態とデータ信号を送信しない第２の状態を切り替えて端末装置に信号を送信する基地局装置であって、
前記基地局装置の状態を管理する伝送状態管理部と、
検知信号を生成する検知信号生成部と、
前記第１の状態で第１のセルＩＤを用いて生成された系列の参照信号を送信し、前記第２の状態で前記検知信号を送信する送信処理部と、を具備し、
前記端末装置に通知されている前記第２の状態で用いる第２のセルＩＤに基づいて前記検知信号の系列を生成することを特徴とする基地局装置。
【請求項２】
前記検知信号生成部が生成する前記検知信号に用いる系列は、Ｚａｄｏｆｆ−Ｃｈｕ系列のルート系列インデックスもしくはＧｏｌｄ系列の初期値を変更することを特徴とする請求項１記載の基地局装置。
【請求項３】
前記検知信号生成部が生成する前記検知信号に用いる系列は、Ｚａｄｏｆｆ−Ｃｈｕ系列とＧｏｌｄ系列を変更することを特徴とする請求項１記載の基地局装置。
【請求項４】
前記検知信号をＲＥに割り当てる検知信号多重部を有し、
前記検知信号多重部は、前記第１の状態と前記第２の状態で同様のリソースに割り当てることを特徴とする請求項１記載の基地局装置。
【請求項５】
前記検知信号生成部は、基地局装置から通知する前記第２の状態のアンテナポートに関する情報に基づいて、検知信号の送信に用いるアンテナポート数を切り替えることを特徴とする請求項１記載の基地局装置。
【請求項６】
前記基地局装置から通知する前記第２の状態のアンテナポートに関する情報は、アンテナポート数もしくはアンテナポート番号が含まれることを特徴とする請求項５記載の基地局装置。
【請求項７】
前記基地局装置から通知する前記第２の状態のアンテナポートに関する情報は、各アンテナポートが使用するＲＥの情報が含まれることを特徴とする請求項６記載の基地局装置。
【請求項８】
前記検知信号生成部は、検知信号を送信する周期を変更することを特徴とする請求項１記載の基地局装置。
【請求項９】
前記検知信号生成部は、検知信号を送信するサブフレームの構成を変更することを特徴とする請求項１記載の基地局装置。
【請求項１０】
前記検知信号生成部は、前記基地局装置が前記第１の状態の場合はセルＩＤに基づいてＣＲＳの系列を生成し、前記基地局装置が前記第２の状態の場合は前記セルＩＤと関連付けられている前記第２の状態のＩＤに基づいて系列を生成することを特徴とする請求項２記載の基地局装置。
【請求項１１】
前記検知信号生成部は、前記基地局装置が前記第１の状態の場合はセルＩＤに基づいてＣＳＩ−ＲＳの系列を生成し、前記基地局装置が前記第２の状態の場合は前記セルＩＤと関連付けられている前記第２の状態のＩＤに基づいて系列を生成することを特徴とする請求項２記載の基地局装置。
【請求項１２】
前記検知信号生成部は、前記第１の状態の場合はセルＩＤに基づいてＰＳＳとＳＳＳの系列を生成し、前記第２の状態の場合は前記セルＩＤと関連付けられている前記第２の状態のＩＤに基づいて系列を生成することを特徴とする請求項２記載の基地局装置。
【請求項１３】
ＤＬ信号を生成するＤＬ信号生成部を有し、
前記ＤＬ信号生成部は、前記第１の状態の物理ＩＤと関連付けられている前記第１の状態のＩＤを生成することを特徴とする請求項１記載の基地局装置。
【請求項１４】
データ信号を送信する第１の状態とデータ信号を送信しない第２の状態を切り替える基地局装置より送信された信号を受信する端末装置であって、
前記基地局装置より送信された検知信号を検出する検知信号検出部と、
検出した前記検知信号より前記基地局装置の状態を識別する基地局装置状態識別部とを有し、
前記検知信号検出部は、前記検知信号の送信に用いられる信号系列、アンテナポート数、アンテナポート番号、及び、リソースの少なくとも１つの情報を検出し、
前記基地局装置状態識別部は、前記検知信号検出部より検出された情報により、前記基地局装置の状態を識別することを特徴とする端末装置。
【発明の詳細な説明】
【技術分野】
【０００１】
本発明は、基地局装置および端末装置に関する。
【背景技術】
【０００２】
第３．９世代の携帯電話の無線通信システムであるＬＴＥ（Long Term Evolution）システム（Rel.8およびRel.9）の標準化が完了し、現在は第４世代の無線通信システムの１つとして、ＬＴＥシステムをより発展させたＬＴＥ−Ａ（LTE-Advanced、IMT-Aなどとも称する。）システム（Rel.10以降）の標準化が行われている。【０００３】
ＬＴＥ−ＡシステムのＲｅｌ．１２では、セルカバレッジの小さいピコ基地局装置（Pico eNB；evolved Node B、SmallCell、Low Power Node、Remote Radio Headとも呼称される）を配置するシナリオが検討されている。ピコ基地局装置に接続する端末装置（ユーザ装置、UE、移動局装置）は、セルカバレッジの大きいマクロ基地局装置と同時に接続することやピコ基地局装置のみと接続することが考えられる。【０００４】
ピコ基地局装置を密に配置する場合には、他のピコ基地局装置への与干渉の問題や消費電力の観点からトラフィック量などに応じてピコ基地局装置が常に伝送する信号の一部を送信しない状態（Off-state、Dormant modeとも呼称される）を設けることが検討されている（非特許文献１参照）。ピコ基地局装置はトラフィック量によりダウンリンクのデータ伝送する状態(On-state)とＯｆｆ−ｓｔａｔｅを切り替えることで、与干渉の影響を小さくすることができ、システムスループットが増加させることができる。一方で、ピコ基地局装置のＯｎ−ｓｔａｔｅとＯｆｆ−ｓｔａｔｅの遷移時間が長い場合、端末装置の通信開始までに長い時間を要することとなり、トラフィック量が急激に変化するような環境で端末装置がピコ基地局装置に接続するオーバヘッドが大きくなり、システムスループットの改善効果が小さくなる問題がある。そこで、Ｏｆｆ−ｓｔａｔｅのピコ基地局装置に対して、端末装置が接続してデータの送受信が可能となるまでの所要時間を短くする方法が検討されている。【０００５】
端末装置がマクロ基地局装置の構成するＳｅｒｖｉｎｇ  Ｃｅｌｌ（もしくはCC: Component Carrier）をＰｒｉｍａｒｙ  Ｃｅｌｌとしている場合、ピコ基地局装置と接続するためにはピコ基地局装置の構成するＣＣをＳｅｃｏｎｄａｒｙ  Ｃｅｌｌとして追加する、もしくはピコ基地局装置の構成するＣＣにハンドオーバする必要がある。この場合、端末装置がピコ基地局装置の構成するＣＣにハンドオーバするのに必要なオーバヘッドはＲＲＭ（Radio Resource Management）測定が大きい割合を占める。そのため、端末装置がＯｆｆ−ｓｔａｔｅのピコ基地局装置に対してもＲＲＭ測定を可能とすることで、オーバヘッドの削減を実現することが提案されており、その手法の１つとしてＯｆｆ−ｓｔａｔｅのピコ基地局装置が検知信号（DS: Discovery Signal、DRS: Discovery Reference Signalとも呼称される）の送信がある（非特許文献２参照）。この検知信号の送信方法としては、ＣＲＳ（Cell-Specific Reference Signal）やＣＳＩ−ＲＳ（Channel State Information Reference Signal）、ＰＳＳ／ＳＳＳ（Primary Synchronization Signal / Secondary Synchronization Signal）が使用するＲＥ（Resource Element）の一部を用いることが検討されており、ピコ基地局装置はＯｆｆ−ｓｔａｔｅでもＯｎ−ｓｔａｔｅでも検知信号を送信することが検討されている。
【先行技術文献】
【非特許文献】
【０００６】
【非特許文献１】Ericsson，“Semi-static small cell on/off operation”， R1-134658，October 7-11, 2013
【非特許文献２】NTT DOCOMO，“Details of Small Cell On/Off with Small Cell Discovery”，R1-135514，November 11-15, 2013
【発明の概要】
【発明が解決しようとする課題】
【０００７】
Ｏｆｆ−ｓｔａｔｅでもＯｎ−ｓｔａｔｅでもピコ基地局装置が検知信号を送信すると、端末装置はピコ基地局装置の状態を把握することができない。この場合、端末装置がアップリンク用のリソース割当て（UL grant）を要求するために、ＰＵＣＣＨ（Physical Uplink Control CHannel）でＳＲ（Scheduling Request）送信やＲＡＣＨ（Random Access CHannel）の信号送信する場合、端末装置がＯｆｆ−ｓｔａｔｅのピコ基地局装置にこれらの信号を送信する問題があった。その結果、端末装置がＯｎ−ｓｔａｔｅのピコ基地局装置にＳＲやＲＡＣＨ信号を送信する場合に比べて、Ｏｆｆ−ｓｔａｔｅのピコ基地局装置はＯｆｆ−ｓｔａｔｅからＯｎ−ｓｔａｔｅの遷移時間がかかるため、端末装置がＵＬ  ｇｒａｎｔを受信するまでのオーバヘッドが増加する。また、トラフィック量が少ない場合に、端末装置が送信するＳＲやＲＡＣＨ信号でピコ基地局装置をＯｆｆ−ｓｔａｔｅからＯｎ−ｓｔａｔｅに遷移させると、与干渉の問題が生じる。【０００８】
本発明は上記の点に鑑みてなされたものであり、ピコ基地局装置が状態に応じて検知信号の送信方法を切り替えることで、端末装置がピコ基地局装置の状態を把握可能とすることである。
【課題を解決するための手段】
【０００９】
（１）本発明は上記の課題を解決するためになされたものであり、本発明の一態様は、データ信号を送信する第１の状態とデータ信号を送信しない第２の状態を切り替えて端末装置に信号を送信する基地局装置であって、前記基地局装置の状態を管理する伝送状態管理部と、検知信号を生成する検知信号生成部と、前記伝送状態管理部に保持されている前記第１の状態又は前記第２の状態の情報に基づいて、前記検知信号生成部の信号の系列生成方法を変更して前記検知信号を送信する。【００１０】
（２）また、本発明の一態様は、前記検知信号生成部が生成する前記検知信号に用いる系列は、Ｚａｄｏｆｆ−Ｃｈｕ系列のルート系列インデックスもしくはＧｏｌｄ系列の初期値を変更する。【００１１】
（３）また、本発明の一態様は、前記検知信号生成部が生成する前記検知信号に用いる系列は、Ｚａｄｏｆｆ−Ｃｈｕ系列とＧｏｌｄ系列を変更する。【００１２】
（４）また、本発明の一態様は、前記検知信号をＲＥに割り当てる検知信号多重部を有し、前記検知信号多重部は前記第１の状態と前記第２の状態で同様のリソースに割り当てる。【００１３】
（５）また、本発明の一態様は、前記検知信号生成部は、基地局装置から通知する前記第２の状態のアンテナポートに関する情報に基づいて、検知信号の送信に用いるアンテナポート数を切り替える。【００１４】
（６）また、本発明の一態様は、前記基地局装置から通知する前記第２の状態のアンテナポートに関する情報は、アンテナポート数もしくはアンテナポート番号が含まれる。【００１５】
（７）また、本発明の一態様は、前記基地局装置から通知する前記第２の状態のアンテナポートに関する情報は、各アンテナポートが使用するＲＥの情報が含まれる。【００１６】
（８）また、本発明の一態様は、前記検知信号生成部は、検知信号を送信する周期を変更する。【００１７】
（９）また、本発明の一態様は、前記検知信号生成部は、検知信号を送信するサブフレームの構成を変更する。【００１８】
（１０）また、本発明の一態様は、前記検知信号生成部は、前記基地局装置が前記第１の状態の場合はセルＩＤに基づいてＣＲＳの系列を生成し、前記基地局装置が前記第２の状態の場合は前記セルＩＤと関連付けられている前記第２の状態のＩＤに基づいて系列を生成する。【００１９】
（１１）また、本発明の一態様は、前記検知信号生成部は、前記基地局装置が前記第１の状態の場合はセルＩＤに基づいてＣＳＩ−ＲＳの系列を生成し、前記基地局装置が前記第２の状態の場合は前記セルＩＤと関連付けられている前記第２の状態のＩＤに基づいて系列を生成する。【００２０】
（１２）また、本発明の一態様は、前記検知信号生成部は、前記第１の状態の場合はセルＩＤに基づいてＰＳＳとＳＳＳの系列を生成し、前記第２の状態の場合は前記セルＩＤと関連付けられている前記第２の状態のＩＤに基づいて系列を生成する。【００２１】
（１３）また、本発明の一態様は、ＤＬ信号を生成するＤＬ信号生成部を有し、前記ＤＬ信号生成部は前記第１の状態の物理ＩＤと関連付けられている前記第１の状態のＩＤを生成する。【００２２】
（１４）また、本発明の一態様は、データ信号を送信する第１の状態とデータ信号を送信しない第２の状態を切り替える基地局装置より送信された信号を受信する端末装置であって、前記基地局装置より送信された検知信号を検出する検知信号検出部と、検出した前記検知信号より前記基地局装置の状態を識別する基地局装置状態識別部とを有し、前記検知信号検出部は前記検知信号の送信に用いられる信号系列、アンテナポート数、アンテナポート番号、及び、リソースの少なくとも１つの情報を検出し、前記基地局装置状態識別部は前記検知信号検出部より検出された情報により前記基地局装置の状態を識別する。
【発明の効果】
【００２３】
本発明によれば、端末装置がピコ基地局装置の状態を把握できるため、アップリンクのデータ伝送に要するオーバヘッドの削減が可能となる。さらに、トラフィック量が少ない場合に、ピコ基地局装置がダウンリンクのデータ伝送を行う状態に遷移する可能性が低くなり、与干渉が小さくなることからシステムスループットが改善する。
【図面の簡単な説明】
【００２４】
【図１】本発明に係るシステムの構成の一例を示す図である。
【図２】本発明に係るマクロ基地局装置１０の構成の一例を示す図である。
【図３】本発明に係るＤＬ信号生成部１０１の構成の一例を示す図である。
【図４】本発明に係るピコ基地局装置１１の構成の一例を示す図である。
【図５】本発明に係る端末装置の構成の一例を示す図である。
【図６】本発明に係る受信信号検出部３０７の構成の一例を示す図である。
【図７】本発明に係るピコ基地局装置１１の構成の一例を示す図である。
【発明を実施するための形態】
【００２５】
（第１の実施形態）
以下、図面を参照しながら、実施形態について説明する。図１は、本発明に係るシステムの構成の一例を示す。該システムは、マクロ基地局装置１０、ピコ基地局装置１１、１２、端末装置２１、２２から構成される。なお、端末装置の数は２に限定されない他、各装置のアンテナ数は１であっても良いし、複数あっても良い。また、マクロ基地局装置１０よりも小さい電力で送信を行うピコ基地局装置１１、１２のアンテナ数は、１であっても良いし、複数あっても良い。同図のピコ基地局装置１１は、ダウンリンクのデータ信号を送信しない状態（Off-state、送信モード、Dormant modeとも呼称される）であり、ピコ基地局装置１２はダウンリンクのデータ伝送を行う状態（On-state）である。ここで、Ｏｆｆ−ｓｔａｔｅのピコ基地局装置１１は、ＰＤＳＣＨ（Physical Downlink Shared CHannel）やＰＤＣＣＨ（Physical Downlink Control CHannel）、ＥＰＤＣＣＨ（Enhanced PDCCH）の伝送を行わないモードのことであるが、上記信号に限らずその他の信号を送信しないなどの条件があっても良い。また、Ｏｆｆ−ｓｔａｔｅのピコ基地局装置１１は、端末装置に対してダウンリンクのデータ伝送は行わないが、検知信号（DS: Discovery Signal、DRS: Discovery Reference Signalとも呼称される）を送信し、端末装置がＲＲＭ（Radio Resource Management）測定をすることは可能である。
【００２６】
端末装置２１は、マクロ基地局装置１０と接続しており、ピコ基地局装置１１より送信される検知信号の受信は可能とする。一方、端末装置２２は、Ｏｎ−ｓｔａｔｅのピコ基地局装置１２と接続している。この場合、端末装置２１がアップリンクのデータ伝送を行う場合、端末装置２１はアップリンクのリソース割当て（UL grant）を要求するために、ＳＲ（Scheduling Request）送信やＲＡＣＨ（Random Access CHannel）信号の送信をする。ここで、端末装置２１は、ピコ基地局装置１１より受信した検知信号よりピコ基地局装置１１の状態を判別し、この状態の情報とマクロ基地局装置１０とピコ基地局装置１１のダウンリンクの信号の受信電力などからＵＬ ｇｒａｎｔ要求する基地局装置を決定する。
【００２７】
図２に、本発明に係るマクロ基地局装置１０の構成の一例を示す。ただし、本発明に必要な最低限のブロックを示している。マクロ基地局装置１０は、端末装置からＰＵＣＣＨ（Physical Uplink Control CHannel）で送信された制御情報もしくはＰＵＳＣＨ（Physical Uplink Shared CHannel）で送信された制御情報を受信アンテナ１０７で受信する。ＵＬ制御情報受信部１０８は受信信号をベースバンド周波数にダウンコンバートし、Ａ／Ｄ（Analog/Digital；アナログ／ディジタル）変換し、ディジタル信号からＣＰ（Cyclic Prefix）を除去した信号する。その後、ＵＬ制御情報受信部１０８はＣＰ除去後の制御情報から、ＣＳＩ（Channel State Information）やＳＲ、ＡＣＫ／ＮＡＣＫ（Acknowledgement / Negative Acknowledgement）、ＲＡＣＨ信号などを抽出する。抽出された制御情報は、ＤＬ制御情報生成部１０９に入力され、さらにＳＲやＲＡＣＨ信号、ＡＣＫ／ＮＡＣＫなどの次回の伝送機会でアップリンクやダウンリンクのリソース割当てに関する情報は通信量管理部１１１に入力される。通信量管理部１１１は、アップリンクやダウンリンクのトラフィック量を監視し、トラフィック量が増加した場合にはＯｆｆ−ｓｔａｔｅのピコ基地局装置をＯｎ−ｓｔａｔｅへの移行の決定を行い、ピコ基地局装置に移行指示を行う。また、通信量管理部１１１は、トラフィック量が減少した場合にはＯｎ−ｓｔａｔｅのピコ基地局装置の一部に対してＯｆｆ−ｓｔａｔｅへの移行の決定を行い、ピコ基地局装置に移行指示を行う。
【００２８】
ＤＬ制御情報生成部１０９は、ダウンリンクやアップリンクのデータ伝送のリソース割当てや伝送に用いられるパラメータを決定し、ＤＣＩ（Downlink Control Information）フォーマットと呼ばれる形式に変換する。アップリンクに用いられるＤＣＩフォーマットには、シングルアンテナモードのフォーマット０、ＭＩＭＯ（Multiple-Input Multiple-Output）多重伝送のフォーマット４などがある。ダウンリンクに用いられるＤＣＩフォーマットには、フォーマット１、１Ａ〜１Ｄやフォーマット２、２Ａ〜２Ｄなどがある。また、ダウンリンクのデータ伝送のリソース割当てや送信パラメータはＣＳＩやＡＣＫ／ＮＡＣＫなどに基づいて決定される。ＤＬ制御情報生成部１０９は、ダウンリンクの送信パラメータは、ＤＬ信号生成部１０１に出力し、端末装置へ送信するＤＬ制御情報は制御情報多重部１０２−１〜１０２−Ｍに出力する。
【００２９】
図３に、本発明に係るＤＬ信号生成部１０１の構成の一例を示す。ＤＬ信号生成部１０１は、データビット列がＳ／Ｐ部１０１１に入力される。Ｓ／Ｐ部１０１１は、ＤＬ制御情報生成部１０９より前回の伝送機会のＡＣＫ／ＮＡＣＫが入力され、ＡＣＫが入力された場合は新しいデータビット列を送信ストリーム数に分割する。Ｓ／Ｐ部１０１１は、ＮＡＣＫが入力された場合は前回の伝送機会で送信したデータビット列を送信ストリーム数に分割する。分割されたデータビット列は、符号化部１０１２−１〜１０１２−Ｃに入力される。符号化部１０１２−１〜１０１２−Ｃは、入力されたデータビット列に対し、誤り訂正符号の符号化を施す。誤り訂正符号には、例えば、ターボ符号やＬＤＰＣ（Low Density Parity Check）符号、畳み込み符号などが用いられる。符号化部１０１２−１〜１０１２−Ｃで施す誤り訂正符号の種類は、送受信装置で予め決められていても良いし、送受信機会毎に制御情報として通知されても良い。符号化部１０１２−１〜１０１２−Ｃは、ＤＬ制御情報生成部１０９より入力されるＭＣＳ（Modulation and Coding Scheme）に含まれる符号化率に基づいて、符号化ビット列に対してパンクチャを行う。符号化部１０１２−１〜１０１２−Ｃは、パンクチャした符号化ビット列を変調部１０１３−１〜１０１３−Ｃへ出力する。
【００３０】
変調部１０１３−１〜１０１３−Ｃは、変調方式の情報が入力され、符号化部１０１２−１〜１０１２−Ｃから入力された符号化ビット列に対して変調を施すことで、変調シンボル列を生成する。変調方式には、例えば、ＱＰＳＫ（Quaternary Phase Shift Keying；四相位相偏移変調）、１６ＱＡＭ（16-ary Quadrature Amplitude Modulation；16直交振幅変調）や６４ＱＡＭなどがある。変調部１０１３−１〜１０１３−Ｃは、生成した変調シンボル列をプリコーディング部１０１４へ出力する。プリコーディング部１０１４は、入力された変調シンボル列に対してプリコーディング行列を乗算し、アンテナポート毎の信号を生成し、信号割当部１０１５−１〜１０１５−Ｍに出力する。ここで、プリコーディング行列は、図示していないがＤＬ制御情報生成部１０９で決定され、プリコーディング部１０１４に入力される。アンテナポートとは複数のアンテナを物理的に同一にみなせる構成であれば、アンテナポート数を１とするものである。信号割当部１０１５−１〜１０１５−Ｍは、ＤＬ制御情報生成部１０９よりリソース割当情報が入力され、プリコーディング部１０１４より信号列入力される。信号割当部１０１５−１〜１０１５−Ｍは、ダウンリンクに用いるリソースに信号列を割当て、出力する。ここで、リソースとは、１２サブキャリア、１サブフレームから構成されるＲＢ（Resource Block）もしくは複数のＲＢをグループ化したＲＢＧ（Resource Block Group）とする。ダウンリンクでは、１以上のＲＢもしくはＲＢＧが使用される。
【００３１】
制御情報多重部１０２−１〜１０２−Ｍは、ＤＬ制御情報生成部１０９よりＰＤＣＣＨもしくはＥＰＤＣＣＨで送信されるＤＣＩフォーマットが入力され、ＤＬ信号生成部１０１より入力されるデータ信号と多重する。参照信号多重部１０３−１〜１０３−Ｍは、参照信号生成部１１０よりＣＲＳ（Cell-specific Reference Signal）やＣＳＩ−ＲＳ（Channel State Information−Reference Signal）、ＤＭＲＳ（De-Modulation Reference Signal）の信号列が入力され、データ信号と制御情報が多重された信号列と多重する。ＩＦＦＴ部１０４−１〜１０４−Ｍは、信号列をＩＦＦＴ（Inverse Fast Fourier Transform）することで周波数領域信号列から時間領域信号列に変換する。送信処理部１０５−１〜１０５−Ｍは、時間領域信号列にＣＰを挿入し、Ｄ／Ａ（Digital/Analog；ディジタル／アナログ）変換でアナログの信号に変換し、変換後の信号を伝送に使用する無線周波数にアップコンバートする。送信処理部１０５−１〜１０５−Ｍは、アップコンバートした信号を、ＰＡ（Power Amplifier）で増幅し、増幅後の信号を、送信アンテナ１０６−１〜１０６−Ｍを介して送信する。以上のように、ダウンリンクでは、ＯＦＤＭ（Orthogonal Frequency Division Multiplexing）信号が端末装置に送信される。
【００３２】
図４に、本発明に係るピコ基地局装置１１の構成の一例を示す。ピコ基地局装置１２も同様の構成である。また、ピコ基地局装置１１は、マクロ基地局装置１０と同様にダウンリンクでＯＦＤＭ信号を送信するため、ＤＬ信号生成部２０１から参照信号多重部２０３−１〜２０３―Ｍまでの処理は図２のＤＬ信号生成部１０１から参照信号多重部１０３−１〜１０３―Ｍまでの処理と同様であり、説明を省略する。また、ＩＦＦＴ部２０４−１〜２０４―Ｍと送信処理部２０５−１〜２０５―Ｍ、ＤＬ制御情報生成部２０９、参照信号生成部２１０も図２のＩＦＦＴ部１０４−１〜１０４―Ｍと送信処理部１０５−１〜１０５―Ｍ、ＤＬ制御情報生成部１０９、参照信号生成部１１０の処理と同様であり、説明を省略する。
【００３３】
図４のピコ基地局装置１１では、端末装置からＰＵＣＣＨもしくはＰＵＳＣＨで送信された制御情報を受信アンテナ２０７で受信する。ＵＬ制御情報受信部２０８は受信信号をベースバンド周波数にダウンコンバートし、Ａ／Ｄ変換し、ディジタル信号からＣＰを除去した信号する。その後、ＵＬ制御情報受信部２０８はＣＰ除去後の制御情報から、ＣＳＩやＳＲ、ＡＣＫ／ＮＡＣＫ、ＲＡＣＨ信号などを抽出する。抽出された制御情報は、ＤＬ制御情報生成部２０９に入力され、さらにＳＲやＲＡＣＨ信号などのリソース割当てを要求する情報は伝送状態管理部２１１に入力される。伝送状態管理部２１１は、状態管理が行われており、Ｏｆｆ−ｓｔａｔｅとＯｎ−ｓｔａｔｅの状態が記憶されている。Ｏｆｆ−ｓｔａｔｅの場合、伝送状態管理部２１１はマクロ基地局装置１０の通信量管理部１１１において、トラフィック量の増加を検知するとＯｎ−ｓｔａｔｅへの移行指示を受信し、状態遷移処理を行う。また、Ｏｆｆ−ｓｔａｔｅの場合に、伝送状態管理部２１１は、ＤＬ制御情報生成部２０９よりリソース割当ての要求が入力されると、Ｏｎ−ｓｔａｔｅへ状態遷移処理を行う。一方、Ｏｎ−ｓｔａｔｅの場合、伝送状態管理部２１１はマクロ基地局装置１０の通信量管理部１１１において、トラフィック量の減少を検知するとＯｆｆ−ｓｔａｔｅへの移行指示を受信し、状態遷移処理を行う。また、Ｏｎ−ｓｔａｔｅの場合、伝送状態管理部２１１はピコ基地局装置が送信する制御情報やデータがない場合にＯｆｆ−ｓｔａｔｅへ状態遷移処理を行っても良い。伝送状態管理部２１１は、Ｏｎ−ｓｔａｔｅかＯｆｆ−ｓｔａｔｅかの状態情報を検知信号生成部２１２に出力する。
【００３４】
検知信号生成部２１２は、伝送状態管理部２１１よりＯｎ−ｓｔａｔｅかＯｆｆ−ｓｔａｔｅかの状態情報が入力される。検知信号生成部２１２は、次式の系列で検知信号Ｄｌ，ｎｓ，ｍを生成する。
【００３５】
【数１】
2015107942.tif 000003
【００３６】
ただし、ｌはスロット内のＯＦＤＭシンボル番号であり、ｎｓはフレーム内のスロット番号である。疑似乱数系列ｃ（ｎ）は長さ３１のＧｏｌｄ系列であり、次式で定義される。
【００３７】
【数２】
2015107942.tif 000004
【００３８】
ただし、Ｎｃ＝１６００であり、Ａ  ｍｏｄ２はＡを２で除算した余りであり、ｘ１（ｉ）とｘ２（ｉ）は次式で定義される。
【００３９】
【数３】
2015107942.tif 000005
【００４０】
【数４】
2015107942.tif 000006
【００４１】
ただし、ｘ１（ｉ）はｎ＝０〜３０で０あり、ｘ２（ｉ）の初期値であるＣｉｎｉｔはピコ基地局装置がＯｎ−ｓｔａｔｅかＯｆｆ−ｓｔａｔｅかの状態情報によって決定する。まず、ピコ基地局装置がＯｎ−ｓｔａｔｅの場合は、次式を用いる。
【００４２】
【数５】
2015107942.tif 000007
【００４３】
ただし、Ｎｃｅｌｌ＿ｉｄは物理セルＩＤ（もしくは仮想セルＩＤ）であり、ＮＣＰはノーマルＣＰのフレーム構成では１、エクステンドＣＰ（extended CP）のフレーム構成では０となる。このように、Ｏｎ−ｓｔａｔｅのピコ基地局装置は、ＣＲＳの信号と同様の処理で検知信号を送信する。
【００４４】
次に、ピコ基地局装置がＯｆｆ−ｓｔａｔｅの場合、検知信号は異なる系列を用いる。異なる系列を用いる一例として、式（５）のＣｉｎｉｔの算出に用いるＮｃｅｌｌ＿ｉｄの代わりに、Ｎｏｆｆ＿ｉｄを使用する。ここで、Ｎｏｆｆ＿ｉｄは、予め端末装置にＲＲＣ（Radio Resource Control）などで通知されているＯｆｆ−ｓｔａｔｅのピコ基地局装置が検知信号の系列の生成に使用する値である。このＮｏｆｆ＿ｉｄは、基地局毎に異なる値としても良いし、共通の値としても良い。また、ＲＲＣの情報は、データビット列と同様に、ＤＬ信号生成部２０１により信号が生成され、データと同様の処理で送信される。また、Ｎｏｆｆ＿ｉｄは、ピコ基地局装置ではなく、マクロ基地局装置より送信しても良く、その場合はＤＬ信号生成部１０１により信号が生成され、データと同様の処理で送信される。さらに、基地局毎にＮｏｆｆ＿ｉｄを端末装置へ通知する場合、マクロ基地局装置もしくはピコ基地局装置がＯｎ−ｓｔａｔｅで使用するＮｃｅｌｌ＿ｉｄとＯｆｆ−ｓｔａｔｅで使用するＮｏｆｆ＿ｉｄを関連付けて通知し、端末装置が同一の基地局装置のＮｏｆｆ＿ｉｄとＮｃｅｌｌ＿ｉｄの対応関係を把握できるようにしても良い。本実施形態の一例では、Ｏｆｆ−ｓｔａｔｅのピコ基地局装置が送信する検知信号の系列は、系列の初期値を変更したが、この例に限定されず、系列の生成に式（２）〜式（４）と異なる生成方法を用いることで、Ｏｎ−ｓｔａｔｅのピコ基地局装置が送信する検知信号の系列と異なるようにしても良く、ＰＳＳやＳＳＳ、ＣＳＩ−ＲＳの系列に変更しても良い。
【００４５】
検知信号生成部２１２は、生成した検知信号を検知信号多重部２１３−１〜２１３−Ｍに入力する。検知信号多重部２１３−１〜２１３−Ｍは、その他の送信信号と多重する。検知信号を多重するリソース（RE:Resource Element）は、ｋ番目のサブキャリア、ｌ番目のＯＦＤＭシンボルに配置される。ｋとｌは次式で定義される。
【００４６】
【数６】
2015107942.tif 000008
【００４７】
【数７】
2015107942.tif 000009
【００４８】
ただし、νｓｈｉｆｔはＯｎ−ｓｔａｔｅのピコ基地局装置はＮｃｅｌｌ＿ｉｄに基づいて生成される。Ｏｆｆ−ｓｔａｔｅのピコ基地局装置は、Ｏｎ−ｓｔａｔｅの場合と同様のリソースを使用するため、Ｎｃｅｌｌ＿ｉｄに基づいてνｓｈｉｆｔを生成する。ただし、Ｏｆｆ−ｓｔａｔｅのピコ基地局装置の検知信号の周波数位置を変更し、νｓｈｉｆｔにＮｏｆｆ＿ｉｄを使用しても良い。ｍはＲＢインデックスであり、ＮＤＬ＿ｓｙｍｂはダウンリンクのスロット内のＯＦＤＭシンボル数であり、νは次式で定義される。
【００４９】
【数８】
2015107942.tif 000010
【００５０】
ここで、ピコ基地局装置がＯｆｆ−ｓｔａｔｅの場合、その他の信号が全くなく、検知信号のみ送信としても良い。以降の処理はマクロ基地局装置１０と同様に信号を送信する。
【００５１】
本実施形態の一例では、ピコ基地局装置がＯｎ−ｓｔａｔｅかＯｆｆ−ｓｔａｔｅによって、端末装置に通知しているＮｃｅｌｌ＿ｉｄとＮｏｆｆ＿ｉｄを切り替えることで、検知信号の系列を変更した。ただし、本発明はこの例に限定されるものではなく、Ｎｏｆｆ＿ｉｄは端末装置に通知されるのではなく、Ｎｃｅｌｌ＿ｉｄより一意に決定されても良い。例えば、式（５）にＮｓｔａｔｅの項を加算し、ピコ基地局装置がＯｎ−ｓｔａｔｅの場合はＮｓｔａｔｅ＝０とし、ピコ基地局装置がＯｆｆ−ｓｔａｔｅの場合はＮｓｔａｔｅを非零とする値としても良い。なお、この例に限定されず、Ｎｏｆｆ＿ｉｄはＮｃｅｌｌ＿ｉｄより算出されても良い。例えば、Ｎｏｆｆ＿ｉｄ＝５０３−Ｎｃｅｌｌ＿ｉｄとしても良いし、別の算出方法を用いても良い。
【００５２】
図５に、本発明に係る端末装置の構成の一例を示す。受信アンテナ３０１−１〜３０１−Ｎで受信する。Ｎは１以上の整数とする。受信処理部３０２−１〜３０２−Ｎは受信信号をベースバンド周波数にダウンコンバートし、ダウンコンバートした信号に対してＡ／Ｄ変換を行うことでディジタル信号を生成する。さらに、受信処理部３０２−１〜３０２−Ｎはディジタル信号からＣＰを除去した信号をＦＦＴ部３０３−１〜３０３−Ｎに入力する。ＦＦＴ部３０３−１〜３０３−Ｎは、入力された受信信号列を高速フーリエ変換により時間領域信号列から周波数領域信号列に変換し、周波数領域信号列を検知信号分離部３０４−１〜３０４−Ｎに入力する。検知信号分離部３０４−１〜３０４−Ｎは、検知信号と他の信号に分離し、それぞれ検知信号検出部３１０と制御信号分離部３０５−１〜３０５−Ｎに入力する。ここで、本実施形態では、検知信号の送信に用いられるＲＥが式（６）〜式（８）で算出され、ピコ基地局装置がＯｎ−ｓｔａｔｅでもＯｆｆ−ｓｔａｔｅでもνｓｈｉｆｔは同一の値とする。検知信号分離部３０４−１〜３０４−Ｎは、検知信号を分離し、検知信号検出部３１０へ入力する。ただし、ピコ基地局装置がＯｎ−ｓｔａｔｅかＯｆｆ−ｓｔａｔｅで異なる値として、それぞれＮｃｅｌｌ＿ｉｄとＮｏｆｆ＿ｉｄを使用する場合は、抽出するＲＥは変化する。この場合、検知信号分離部３０４−１〜３０４−Ｎは、ピコ基地局装置がＯｎ−ｓｔａｔｅとＯｆｆ−ｓｔａｔｅで使用するＲＥの信号を両方とも分離し、検知信号検出部３１０へ入力する。また、ＲＥの算出に用いるＮｏｆｆ＿ｉｄは制御信号検出部３０９より予め入力されているものとする。
【００５３】
制御信号分離部３０５−１〜３０５−Ｎは、ＰＤＣＣＨやＥＰＤＣＣＨで送信された信号を分離し、制御情報検出部３０９に入力する。また、制御信号分離部３０５−１〜３０５−Ｎは、ＲＲＣの信号を受信した場合も分離し、制御情報検出部３０９に入力する。制御情報検出部３０９は、ＰＤＣＣＨやＥＰＤＣＣＨで送信された自局宛てのＤＣＩフォーマットをブラインドデコーディングにより検出する。また、制御情報検出部３０９は、ＲＲＣの信号を検出する。制御情報検出部３０９は、検出した制御情報を受信信号検出部３０７に入力する。制御情報検出部３０９は、ピコ基地局装置がＯｆｆ−ｓｔａｔｅの場合に検知信号の系列の生成に使用する情報をＲＲＣで受信した場合、検知信号検出部３１０に入力する。本実施形態の一例では、検知信号の系列の生成に使用する情報をＮｏｆｆ＿ｉｄとし、Ｎｃｅｌｌ＿ｉｄとＮｏｆｆ＿ｉｄが関連付けられている場合について説明する。
【００５４】
参照信号分離部３０６−１〜３０６−Ｎは、入力された信号を参照信号とデータ信号に分離し、それぞれ伝搬路推定部３０８と受信信号検出部３０７に入力する。伝搬路推定部３０８は、データ信号と多重されて送信された参照信号であるＣＲＳやＣＳＩ−ＲＳ、ＤＭＲＳが入力され、復調用の推定した周波数応答は受信信号検出部３０７に入力する。また、伝搬路推定部３０８は、ＣＲＳやＣＳＩ−ＲＳより推定した伝搬路情報を、周期的もしきは非周期的なＣＳＩの送信に用いるため、図示していないがＵＬ制御情報生成部３１２に入力する。
【００５５】
図６に、本発明に係る受信信号検出部３０７の構成の一例を示す。受信信号検出部３０７は、参照信号分離部３０６−１〜３０６−Ｎより受信したデータ信号がＭＩＭＯ分離部３０７１に入力され、伝搬路推定部３０８より周波数応答の推定値が入力される。ＭＩＭＯ分離部３０７１は、入力された伝搬路の周波数応答よりＭＭＳＥ（Minimum Mean Square Error）規範に基づく等化重みを生成し、入力された周波数領域のデータ信号列に対して重みを乗算することでＭＩＭＯ多重された信号を分離する。ＭＩＭＯ分離部３０７１は、分離した信号列を信号抽出部３０７２−１〜３０７２−Ｍに入力する。ただし、Ｍは１以上の整数とする。ＭＩＭＯ分離部３０７１での信号処理は、ＺＦ（Zero Forcing）基準等の他の基準の空間フィルタリングや、ＭＬＤ（Maximum Likelihood Detection）等の他の検出法を適用しても良い。
【００５６】
信号抽出部３０７２−１〜３０７２−Ｍは、ダウンリンクのデータ伝送に用いられたリソース割当情報が制御信号検出部３０９より入力され、受信信号からデータ信号を抽出する。復調部３０７３−１〜３０７３−Ｍは、制御信号検出部３０９より変調方式の情報が入力され、時間領域の受信信号列に対して復調処理を施し、ビット系列のＬＬＲ（Log Likelihood Ratio）、つまりＬＬＲ列を得る。復号部３０７４−１〜３０７４−Ｍは、制御信号検出部３０９より符号化率の情報に入力され、ＬＬＲ列に対して復号処理を行う。復号部３０７４−１〜３０７４−Ｍは、復号後のＬＬＲ列を硬判定し、巡回冗長検査（CRC：Cyclic Redundancy Check）より誤りが無かった場合にはビット列を送信データとして、Ｐ／Ｓ部３０７５に入力する。Ｐ／Ｓ部３０７５は、複数の送信データを結合し、出力する。なお、本実施形態では、空間多重数Ｍと復号部の数が一致する場合について説明を行ったが、ＬＴＥと同様、空間多重数Ｍと復号部の数（つまり、コードワード数）が異なっても良い。Ｐ／Ｓ部３０７５は、図示していないが受信データの誤りの有無をＵＬ制御情報生成部３１２に入力する。この情報は、ＡＣＫ／ＮＡＣＫの送信に用いられる。
【００５７】
一方、検知信号検出部３１０は、ピコ基地局装置より送信される検知信号からピコ基地局装置の検出と状態を確認する。検知信号検出部３１０は、ピコ基地局装置がＯｎ−ｓｔａｔｅとＯｆｆ−ｓｔａｔｅで送信する検知信号の系列のどちらかが送信されたものとして、検知信号の検出を行う。具体的には、Ｎｃｅｌｌ＿ｉｄを用いて式（２）〜式（５）より生成される系列と、Ｎｃｅｌｌ＿ｉｄと関連付けられているＮｏｆｆ＿ｉｄより生成される系列との相関をとり、いずれの系列が送信されたかを判定するなどである。検知信号検出部３１０は、Ｎｏｆｆ＿ｉｄが制御信号検出部３０９より予め入力されている。また、いずれの系列に対しても相関値が所定の値より低くなる場合は、端末装置は接続可能なピコ基地局装置が存在しないと判定しても良い。また、検知信号検出部３１０は、同一の系列を用いて送信される検知信号より複数のフレームもしくはサブフレームで受信品質を測定し、ＲＲＭ測定を行う。検知信号検出部３１０は、ピコ基地局装置がＯｎ−ｓｔａｔｅとＯｆｆ−ｓｔａｔｅで送信する検知信号の系列の情報と、検出した系列の情報を基地局装置状態識別部３１１に入力する。基地局装置状態識別部３１１は、入力された情報より、検知信号を検出したピコ基地局装置の状態を判別し、記憶する。基地局装置状態識別部３１１は、複数のピコ基地局装置の検知信号を検出している場合にはピコ基地局装置毎に状態を記憶しておき、検知信号検出部３１０で状態遷移を検出した場合には、ピコ基地局装置毎に状態を更新する。基地局装置状態識別部３１１は、アップリンクのリソース割当（UL grant）の要求を行う場合、マクロ基地局装置もしくはＯｎ−ｓｔａｔｅのピコ基地局装置にアップリンクのリソース割当要求のＳＲもしくはＲＡＣＨ信号を送信するために、ピコ基地局装置毎に状態情報をＵＬ制御情報生成部３１２に入力する。
【００５８】
ＵＬ制御情報生成部３１２は、図示していないがＰ／Ｓ部３０７５よりＡＣＫ／ＮＡＣＫの情報が入力され、伝搬路推定部３０８よりＣＳＩの情報が入力される。ＡＣＫ／ＮＡＣＫや周期的なＣＳＩはＰＵＣＣＨに配置し、ＵＬ制御情報送信部３１３、送信アンテナ３１４を介して送信される。また、ＵＬ制御情報生成部３１２は、非周期的なＣＳＩの送信をＤＣＩフォーマットにより送信要求された場合にはＰＵＳＣＨの送信信号を生成し、送信する。ここで、ＰＵＳＣＨの送信には、ＤＦＴＳ−ＯＦＤＭ（Discrete Fourier Transform Spread OFDM、SC-FDMAとも称される）信号が用いられる。ＵＬ制御情報生成部３１２は、アップリンクのリソース割当要求を行う場合、ＳＲもしくはＲＡＣＨ信号を生成して送信する。ここで、ＳＲはＰＵＣＣＨにより送信され、ＲＡＣＨ信号は予め決められたリソースを用いる。ＵＬ制御情報生成部３１２は、ＳＲもしくはＲＡＣＨ信号を送信する場合、基地局装置状態識別部３１１より入力されるピコ基地局装置毎に状態を用いて、Ｏｎ−ｓｔａｔｅのピコ基地局装置もしくはマクロ基地局装置が構成するＳｅｒｖｉｎｇ  Ｃｅｌｌ（もしくはCC: Component Carrier）に対して送信する。
【００５９】
以上のように本実施形態では、ピコ基地局装置がＯｎ−ｓｔａｔｅとＯｆｆ−ｓｔａｔｅで同一のリソースを用いて、異なる系列の検知信号を送信するため、端末装置がピコ基地局装置の状態を把握することができる。その結果、端末装置がアップリンクのリソース割当要求をする際に、Ｏｆｆ−ｓｔａｔｅのピコ基地局装置に信号を送信することを回避でき、オーバヘッドの削減が可能となる。さらに、端末装置がＯｆｆ−ｓｔａｔｅのピコ基地局装置にアップリンクのリソース割当要求を行い、ピコ基地局装置をＯｎ−ｓｔａｔｅに遷移することも回避できるため、他のピコ基地局装置やマクロ基地局装置への与干渉を低減できる。そのため、システムスループットを改善できる。
【００６０】
（第１の実施形態の変形例１）
本変形例では、マクロ基地局装置とピコ基地局装置、端末装置の構成例は、第１の実施形態と同様であり、それぞれ図２、図４、図５である。そのため、本変形例では、異なる処理のみを説明し、同様の処理の説明は省略する。ここで、ピコ基地局装置の検知信号生成部２１２は、式（１）〜式（４）より系列を生成する。ただし、ピコ基地局装置がＯｎ−ｓｔａｔｅかＯｆｆ−ｓｔａｔｅかの状態によって、式（５）の算出を変更する。まず、ピコ基地局装置がＯｎ−ｓｔａｔｅの場合、式（５）のＮｃｅｌｌ＿ｉｄは上位レイヤでＮｃｓｉ＿ｉｄの設定が通知されていない限り、物理セルＩＤ（もしくは仮想セルＩＤ）を使用する。ピコ基地局装置がＯｆｆ−ｓｔａｔｅの場合、式（５）のＮｃｅｌｌ＿ｉｄはＮｏｆｆ＿ｉｄを使用する。Ｎｏｆｆ＿ｉｄは、予め端末装置にＲＲＣなどで通知されているＯｆｆ−ｓｔａｔｅのピコ基地局装置が検知信号の系列の生成に使用する値である。このＮｏｆｆ＿ｉｄは、基地局後に異なる値としても良いし、共通の値としても良い。本実施形態の変形例では、Ｏｆｆ−ｓｔａｔｅのピコ基地局装置が送信する検知信号の系列は、系列の初期値を変更したが、この例に限定されず、系列の生成に式（２）〜式（４）と異なる生成方法を用いることで、Ｏｎ−ｓｔａｔｅのピコ基地局装置が送信する検知信号の系列と異なるようにしても良く、ＰＳＳやＳＳＳ、ＣＲＳの系列に変更しても良い。
【００６１】
検知信号生成部２１２は、生成した検知信号に対して、アンテナポート番号が偶数か奇数かによって［＋１，−１］もしくは［＋１，＋１］の符号を乗算後、検知信号多重部２１３−１〜２１３−Ｍに入力する。検知信号多重部２１３−１〜２１３−Ｍは、その他の送信信号と多重する。検知信号を多重するＲＥは、ｋ番目のサブキャリア、ｌ番目のＯＦＤＭシンボルに配置される。ｋとｌは次式で定義される。
【００６２】
【数９】
2015107942.tif 000011
【００６３】
【数１０】
2015107942.tif 000012
【００６４】
ただし、ｋ’とｌ’はＣＳＩ−ＲＳのコンフィグレーション番号とＣＳＩ−ＲＳの数によって決まる値であり、ｌ’’は０もしくは１である。このように、Ｏｎ−ｓｔａｔｅのピコ基地局装置は、ＣＳＩ−ＲＳの信号と同様の処理で検知信号を送信する。また、Ｏｆｆ−ｓｔａｔｅのピコ基地局装置は、ＣＳＩ−ＲＳのＲＥを使用して異なる系列の検知信号を送信する。ただし、本変形例では、ＣＳＩ−ＲＳのコンフィグレーション番号がＯｎ−ｓｔａｔｅとＯｆｆ−ｓｔａｔｅのピコ基地局装置で同一としたが、異なるコンフィグレーション番号をマクロ基地局装置もしくはピコ基地局装置が端末装置に通知し、適用しても良い。
【００６５】
本実施形態の一例では、ピコ基地局装置がＯｎ−ｓｔａｔｅかＯｆｆ−ｓｔａｔｅによって、端末装置に通知しているＮｃｅｌｌ＿ｉｄとＮｏｆｆ＿ｉｄを切り替えることで、検知信号の系列を変更した。ただし、本発明はこの例に限定されるものではなく、Ｎｏｆｆ＿ｉｄは端末装置に通知されるのではなく、Ｎｃｅｌｌ＿ｉｄより一意に決定されても良い。例えば、式（５）にＮｓｔａｔｅの項を加算し、ピコ基地局装置がＯｎ−ｓｔａｔｅの場合はＮｓｔａｔｅ＝０とし、ピコ基地局装置がＯｆｆ−ｓｔａｔｅの場合はＮｓｔａｔｅを非零とする値としても良い。なお、この例に限定されず、Ｎｏｆｆ＿ｉｄはＮｃｅｌｌ＿ｉｄより算出されても良い。例えば、Ｎｏｆｆ＿ｉｄ＝５０３−Ｎｃｅｌｌ＿ｉｄとしても良いし、別の算出方法を用いても良い。
【００６６】
端末装置では、検知信号分離部３０４−１〜３０４−Ｎは、検知信号と他の信号に分離し、それぞれ検知信号検出部３１０と制御信号分離部３０５−１〜３０５−Ｎに入力する。ここで、本実施形態では、検知信号の送信に用いられるＲＥが式（９）、式（１０）で算出される。検知信号検出部３１０は、ピコ基地局装置より送信される検知信号からピコ基地局装置の検出と状態を確認する。検知信号検出部３１０は、ピコ基地局装置がＯｎ−ｓｔａｔｅとＯｆｆ−ｓｔａｔｅで送信する検知信号の系列のどちらかが送信されたものとして、検知信号の検出を行う。具体的には、Ｎｃｅｌｌ＿ｉｄを用いて式（２）〜式（５）より生成される系列と、Ｎｃｅｌｌ＿ｉｄと関連付けられているＮｏｆｆ＿ｉｄより生成される系列との相関をとり、いずれの系列が送信されたかを判定するなどである。検知信号検出部３１０は、Ｎｏｆｆ＿ｉｄが制御信号検出部３０９より予め入力されている。また、いずれの系列に対しても相関値が低い場合は、端末装置は接続可能なピコ基地局装置が存在しないと判定しても良い。また、検知信号検出部３１０は、同一の系列を用いて送信される検知信号より複数のフレームもしくはサブフレームで受信品質を測定し、ＲＲＭ測定を行う。検知信号検出部３１０は、ピコ基地局装置がＯｎ−ｓｔａｔｅとＯｆｆ−ｓｔａｔｅで送信する検知信号の系列の情報と、検出した系列の情報を基地局装置状態識別部３１１に入力する。
【００６７】
以上のように本実施形態では、ピコ基地局装置がＯｎ−ｓｔａｔｅとＯｆｆ−ｓｔａｔｅで同一のリソースを用いて、異なる系列の検知信号を送信するため、端末装置がピコ基地局装置の状態を把握することができる。その結果、端末装置がアップリンクのリソース割当要求をする際に、Ｏｆｆ−ｓｔａｔｅのピコ基地局装置に信号を送信することを回避でき、オーバヘッドの削減が可能となる。さらに、端末装置がＯｆｆ−ｓｔａｔｅのピコ基地局装置にアップリンクのリソース割当要求を行い、ピコ基地局装置をＯｎ−ｓｔａｔｅに遷移することも回避できるため、他のピコ基地局装置やマクロ基地局装置への与干渉を低減できる。そのため、システムスループットを改善できる。
【００６８】
（第１の実施形態の変形例２）
本変形例では、マクロ基地局装置とピコ基地局装置、端末装置の構成例は、第１の実施形態と同様であり、それぞれ図２、図４、図５である。そのため、本変形例では、異なる処理のみを説明し、同様の処理の説明は省略する。ピコ基地局装置の検知信号生成部２１２は、Ｚａｄｏｆｆ−Ｃｈｕ系列を生成し、次式より系列を生成する。
【００６９】
【数１１】
2015107942.tif 000013
【００７０】
ただし、ｕはＺａｄｏｆｆ−Ｃｈｕ系列のルート系列インデックスであり、ピコ基地局装置がＯｎ−ｓｔａｔｅの場合はＮｃｅｌｌ＿ｉｄ（ｍｏｄ３）の値に基づいて決定され、ピコ基地局装置がＯｆｆ−ｓｔａｔｅの場合はＮｏｆｆ＿ｉｄ（ｍｏｄ３）の値に基づいて決定される。検知信号生成部２１２は、生成した検知信号を検知信号多重部２１３−１〜２１３−Ｍに入力する。検知信号多重部２１３−１〜２１３−Ｍは、その他の送信信号と多重する。検知信号を多重するＲＥは、ｋ番目のサブキャリア、スロット０とスロット１０の最後のＯＦＤＭシンボルに配置される。ｋは次式で定義される。
【００７１】
【数１２】
2015107942.tif 000014
【００７２】
ただし、ＮＤＬ＿ＲＢはダウンリンクで構成されているＲＢ数であり、ＮＲＢ＿ＳＣはＲＢを構成するサブキャリア数である。このように、Ｏｎ−ｓｔａｔｅのピコ基地局装置は、ＰＳＳ（Primary Synchronization Signal）の信号と同様の処理で検知信号を送信する。また、Ｏｆｆ−ｓｔａｔｅピコ基地局装置は、ＰＳＳのＲＥを使用して異なる系列の検知信号を送信する。本変形例では、ＰＳＳに限定されず、Ｏｎ−ｓｔａｔｅのピコ基地局装置は、ＳＳＳ（Secondary Synchronization Signal）の信号と同様の処理で検知信号を送信し、Ｏｆｆ−ｓｔａｔｅピコ基地局装置は、ＰＳＳのＲＥを使用して異なる系列の検知信号を送信しても良い。
【００７３】
本実施形態の一例では、ピコ基地局装置がＯｎ−ｓｔａｔｅかＯｆｆ−ｓｔａｔｅによって、端末装置に通知しているＮｃｅｌｌ＿ｉｄとＮｏｆｆ＿ｉｄを切り替えることで、検知信号の系列を変更した。ただし、本発明はこの例に限定されるものではなく、Ｎｏｆｆ＿ｉｄは端末装置に通知されるのではなく、Ｎｃｅｌｌ＿ｉｄより一意に決定されても良い。例えば、式（５）にＮｓｔａｔｅの項を加算し、ピコ基地局装置がＯｎ−ｓｔａｔｅの場合はＮｓｔａｔｅ＝０とし、ピコ基地局装置がＯｆｆ−ｓｔａｔｅの場合はＮｓｔａｔｅを非零とする値としても良い。なお、この例に限定されず、Ｎｏｆｆ＿ｉｄはＮｃｅｌｌ＿ｉｄより算出されても良い。例えば、Ｎｏｆｆ＿ｉｄ＝５０３−Ｎｃｅｌｌ＿ｉｄとしても良いし、別の算出方法を用いても良い。
【００７４】
以上のように本実施形態では、ピコ基地局装置がＯｎ−ｓｔａｔｅとＯｆｆ−ｓｔａｔｅで同一のリソースを用いて、異なる系列の検知信号を送信するため、端末装置がピコ基地局装置の状態を把握することができる。その結果、端末装置がアップリンクのリソース割当要求をする際に、Ｏｆｆ−ｓｔａｔｅのピコ基地局装置に信号を送信することを回避でき、オーバヘッドの削減が可能となる。さらに、端末装置がＯｆｆ−ｓｔａｔｅのピコ基地局装置にアップリンクのリソース割当要求を行い、ピコ基地局装置をＯｎ−ｓｔａｔｅに遷移することも回避できるため、他のピコ基地局装置やマクロ基地局装置への与干渉を低減できる。そのため、システムスループットを改善できる。
【００７５】
（第２の実施形態）
本発明の第２の実施形態では、ピコ基地局装置が送信する検知信号がＰＳＳ、ＳＳＳ、ＣＲＳ、ＣＳＩ−ＲＳと異なるリソース（ＯＦＤＭシンボル番号とサブキャリア番号）もしくは異なる周期で送信される場合について説明する。また、本実施形態の一例では、ピコ基地局装置がＯｎ−ｓｔａｔｅでもＯｆｆ−ｓｔａｔｅでも同様のリソースで検知信号を送信するものとする。
【００７６】
本実施形態では、マクロ基地局装置とピコ基地局装置、端末装置の構成例は、第１の実施形態と同様であり、それぞれ図２、図４、図５である。そのため、本変形例では、異なる処理のみを説明し、同様の処理の説明は省略する。ピコ基地局装置の検知信号生成部２１２は、Ｏｎ−ｓｔａｔｅとＯｆｆ−ｓｔａｔｅで異なる系列を生成する。例えば、ピコ基地局装置が検知信号にＺａｄｏｆｆ−Ｃｈｕ系列を使用し、マクロ基地局装置もしくはピコ基地局装置が端末装置に対してＯｎ−ｓｔａｔｅで用いられるルートインデックスとＯｆｆ−ｓｔａｔｅで用いられるルートインデックスをそれぞれ通知しておくなどである。この場合、検知信号生成部２１２はピコ基地局装置の状態に対応するルートインデックスで式（１１）でより検知信号を生成する。ただし、本実施形態はＯｎ−ｓｔａｔｅとＯｆｆ−ｓｔａｔｅで両方ともＺａｄｏｆｆ−Ｃｈｕ系列を使用する例に限定されるものではなく、いずれかもしくは両方を異なる系列としても良い。例えば、式（１）〜式（４）の系列をＯｎ−ｓｔａｔｅとＯｆｆ−ｓｔａｔｅのいずれかもしくは両方で使用しても良い。
【００７７】
検知信号生成部２１２は、生成した検知信号を検知信号多重部２１３−１〜２１３−Ｍに入力する。検知信号多重部２１３−１〜２１３−Ｍは、予め決められている検知信号の送信に使用されるＲＥに検知信号を配置し、その他の送信信号と多重する。この場合、端末装置は、ピコ基地局装置がＯｎ−ｓｔａｔｅとＯｆｆ−ｓｔａｔｅとで使用する検知信号の系列に関する情報がそれぞれ通知されており、検知信号検出部３１０でピコ基地局装置の状態を識別する。ここで、Ｏｎ−ｓｔａｔｅとＯｆｆ−ｓｔａｔｅとで使用する検知信号の系列に関する情報とは、Ｚａｄｏｆｆ−Ｃｈｕ系列のルートインデックスやＧｏｌｄ系列の初期値、送信に使用する系列の情報などである。
【００７８】
以上のように本実施形態では、ピコ基地局装置がＯｎ−ｓｔａｔｅとＯｆｆ−ｓｔａｔｅで同一のリソースを用いて、異なる系列の検知信号を送信するため、端末装置がピコ基地局装置の状態を把握することができる。その結果、端末装置がアップリンクのリソース割当要求をする際に、Ｏｆｆ−ｓｔａｔｅのピコ基地局装置に信号を送信することを回避でき、オーバヘッドの削減が可能となる。さらに、端末装置がＯｆｆ−ｓｔａｔｅのピコ基地局装置にアップリンクのリソース割当要求を行い、ピコ基地局装置をＯｎ−ｓｔａｔｅに遷移することも回避できるため、他のピコ基地局装置やマクロ基地局装置への与干渉を低減できる。そのため、システムスループットを改善できる。
【００７９】
（第３の実施形態）
本発明の第３の実施形態では、ピコ基地局装置がＯｎ−ｓｔａｔｅかＯｆｆ−ｓｔａｔｅかの状態によって、検知信号を送信するアンテナポートを制御することで端末装置がピコ基地局装置の状態を識別する方法について説明する。
【００８０】
本実施形態では、マクロ基地局装置と端末装置の構成例は、第１の実施形態と同様であり、それぞれ図２、図５である。ただし、ピコ基地局装置の構成例は異なり、図７となる。図７のピコ基地局装置１１では、図４に示す第１の実施形態のピコ基地局装置１１からアンテナポート制御部４０１が追加されている。その他の構成は同様である。そのため、本実施形態では、第１の実施形態と異なる処理のみを説明し、同様の処理の説明は省略する。
【００８１】
アンテナポート制御部４０１は、伝送状態管理部２１１よりＯｎ−ｓｔａｔｅかＯｆｆ−ｓｔａｔｅかの状態情報が入力される。アンテナポート制御部４０１は、Ｏｎ−ｓｔａｔｅかＯｆｆ−ｓｔａｔｅかの情報に応じて、検知信号を送信するアンテナポート番号を決定する。例えば、Ｏｎ−ｓｔａｔｅのピコ基地局装置はアンテナポート０、１、２、３で送信し、Ｏｆｆ−ｓｔａｔｅのピコ基地局装置はアンテナポート０のみにするなどである。このように、アンテナポート制御部４０１は、Ｏｆｆ−ｓｔａｔｅの場合に検知信号の送信を行うアンテナポート数をＯｎ−ｓｔａｔｅの場合と比較して減らす処理をする。また、ここで、アンテナポート数の設定方法は、上記の例に限定されず、Ｏｎ−ｓｔａｔｅからＯｆｆ−ｓｔａｔｅに遷移した場合にアンテナポート数を４から２にしても良いし、アンテナポート数を２から１にしても良い。また、アンテナポート制御部４０１は、Ｏｆｆ−ｓｔａｔｅの場合にアンテナポート２もしくは３を使用し、端末装置がＲＲＭ測定に使用しないポートを設定し、Ｏｎ−ｓｔａｔｅとＯｆｆ−ｓｔａｔｅで端末装置がＲＲＭ測定の処理を変更するようにしても良い。また、Ｏｆｆ−ｓｔａｔｅの場合に使用するアンテナポートはマクロ基地局装置もしくはピコ基地局装置よりＲＲＣなどで予め端末装置に通知されても良い。この場合は、Ｏｆｆ−ｓｔａｔｅのピコ基地局装置は、ＲＲＣでＯｆｆ−ｓｔａｔｅの検知信号の送信に使用するアンテナポートが構成されていれば、ＲＲＣで指定されているアンテナポートで検知信号を送信し、ＲＲＣで検知信号を送信するアンテナポートが構成されていなければ、アンテナポート０のみで検知信号を送信し手も良い。また、アンテナポート番号も上記に限定されるものではなく、アンテナポート１５〜２２を使用し、Ｏｎ−ｓｔａｔｅからＯｆｆ−ｓｔａｔｅに遷移した場合にアンテナポート数を減らしても良いし、また別のアンテナポート番号でも良い。また、アンテナポート数を減らす際に、Ｏｆｆ−ｓｔａｔｅのピコ基地局装置は検知信号の送信に使用するアンテナポートの少なくとも１つから送信する信号の送信電力を送信処理部２０５−１〜２０５―Ｍで上げても良い。
【００８２】
検知信号生成部２１２は、アンテナポート制御部４０１より検知信号に送信するアンテナポート番号もしくはアンテナポート数が入力され、アンテナポート毎に検知信号を生成する。検知信号生成部２１２は、生成した検知信号を検知信号多重部２１３−１〜２１３−Ｍに入力する。検知信号多重部２１３−１〜２１３−Ｍは、予め決められている検知信号の送信に使用されるＲＥに検知信号を配置し、その他の送信信号と多重する。ここで、検知信号のアンテナポート毎のリソースは予め決められているもしくは、通知されているものとする。
【００８３】
端末装置は、検知信号検出部３１０において、アンテナポート毎の検知信号の検出を行う。検知信号検出部３１０は、アンテナポート毎の検知信号の系列と受信信号の相関値を算出し、検知信号の送信に用いられたアンテナポートの数を識別する。ここで、検知信号検出部３１０は、ピコ基地局装置がＯｎ−ｓｔａｔｅとＯｆｆ−ｓｔａｔｅの場合の検知信号を送信するアンテナポートの数やアンテナポート番号の情報が制御信号検出部３０９より入力されており、ピコ基地局装置の状態を識別する。
【００８４】
なお、本実施形態の例では検知信号を送信するアンテナポートの数のみをピコ基地局装置がＯｎ−ｓｔａｔｅかＯｆｆ−ｓｔａｔｅかによって切り替えたが、検知信号の系列も変えても良い。また、本実施形態の例ではピコ基地局装置がＯｎ−ｓｔａｔｅとＯｆｆ−ｓｔａｔｅで検知信号を送信するアンテナポートの数の情報が端末装置に通知されるものとしたが、ピコ基地局装置がＯｎ−ｓｔａｔｅの検知信号を送信するアンテナポートの数はＣＲＳやＣＳＩ−ＲＳのアンテナポート数と同様としても良い。
【００８５】
以上のように本実施形態では、ピコ基地局装置がＯｎ−ｓｔａｔｅとＯｆｆ−ｓｔａｔｅで検知信号を送信するアンテナポート数を切り替えるため、端末装置がピコ基地局装置の状態を把握することができる。その結果、端末装置がアップリンクのリソース割当要求をする際に、Ｏｆｆ−ｓｔａｔｅのピコ基地局装置に信号を送信することを回避でき、オーバヘッドの削減が可能となる。さらに、端末装置がＯｆｆ−ｓｔａｔｅのピコ基地局装置にアップリンクのリソース割当要求を行い、ピコ基地局装置をＯｎ−ｓｔａｔｅに遷移することも回避できるため、他のピコ基地局装置やマクロ基地局装置への与干渉を低減できる。そのため、システムスループットを改善できる。
【００８６】
（第４の実施形態）
前実施形態では、ＰＳＳ／ＳＳＳやＣＲＳ、ＣＳＩ−ＲＳなどのリソースを使用する例について説明したが、これらのリソースの一部を使用しても良い。例えば、ピコ基地局装置がＰＳＳ／ＳＳＳの送信に使用するサブキャリアを使用し、１フレーム中に２もしくは４ＯＦＤＭシンボルで検知信号を送信するのではなく、１フレーム中に１ＯＦＤＭシンボルや２フレーム中に１ＯＦＤＭシンボルのように送信間隔で検知信号を送信し、ピコ基地局装置の状態に応じた系列やアンテナポート数の制御を行っても良い。また、ピコ基地局装置がＯｎ−ｓｔａｔｅかＯｆｆ−ｓｔａｔｅかによって、検知信号の送信間隔を制御し、端末装置がピコ基地局装置の状態を把握しても良い。この場合、検知信号の送信間隔は、Ｏｎ−ｓｔａｔｅとＯｆｆ−ｓｔａｔｅの構成が端末装置に通知されるものとする。また、ピコ基地局装置がＯｎ−ｓｔａｔｅかＯｆｆ−ｓｔａｔｅかによって、検知信号を送信するサブフレームの構成が存在しても良く、この構成の違いにより端末装置がピコ基地局装置の状態を把握しても良い。
【００８７】
以上のように本実施形態では、ピコ基地局装置がＯｎ−ｓｔａｔｅとＯｆｆ−ｓｔａｔｅで検知信号を送信する周期やサブフレームの構成を切り替えるため、端末装置がピコ基地局装置の状態を把握することができる。その結果、端末装置がアップリンクのリソース割当要求をする際に、Ｏｆｆ−ｓｔａｔｅのピコ基地局装置に信号を送信することを回避でき、オーバヘッドの削減が可能となる。さらに、端末装置がＯｆｆ−ｓｔａｔｅのピコ基地局装置にアップリンクのリソース割当要求を行い、ピコ基地局装置をＯｎ−ｓｔａｔｅに遷移することも回避できるため、他のピコ基地局装置やマクロ基地局装置への与干渉を低減できる。そのため、システムスループットを改善できる。
【００８８】
（第５の実施形態）
本実施形態では、ピコ基地局装置がＯｎ−ｓｔａｔｅかＯｆｆ−ｓｔａｔｅかの状態によって、検知信号を送信するアンテナポートを制御すると共に、検知信号を送信するリソース（RE）を制御し、端末装置がピコ基地局装置の状態を識別する方法について説明する。本実施形態では、マクロ基地局装置と端末装置、ピコ基地局装置の構成例は、第３の実施形態と同様であり、それぞれ図２、図５、図７である。
【００８９】
アンテナポート制御部４０１は、伝送状態管理部２１１よりＯｎ−ｓｔａｔｅかＯｆｆ−ｓｔａｔｅかの状態情報が入力される。アンテナポート制御部４０１は、Ｏｎ−ｓｔａｔｅかＯｆｆ−ｓｔａｔｅかの情報に応じて、検知信号を送信するアンテナポート番号を決定する。例えば、Ｏｎ−ｓｔａｔｅのピコ基地局装置はアンテナポート０、１、２、３で送信し、Ｏｆｆ−ｓｔａｔｅのピコ基地局装置はアンテナポート０のみにするなどである。このように、アンテナポート制御部４０１は、Ｏｆｆ−ｓｔａｔｅの場合に検知信号の送信を行うアンテナポート数をＯｎ−ｓｔａｔｅの場合と比較して減らす処理をする。ここで、アンテナポート０のみとすると、検知信号を送信するＲＥが式（６）〜式（８）で算出され、１／４となる。しかしながら、端末装置が検知信号によりＲＲＭ測定をする場合、検知信号の送信に使用するＲＥの数に決まるＲＲＭ測定の精度と与干渉はトレードオフの関係であり、通信環境によっては検知信号の送信に使用するＲＥの数が必ずしも少ない方が良いとは限らない。そこで、Ｏｆｆ−ｓｔａｔｅの場合に、ピコ基地局装置が検知信号の送信に使用するＲＥはマクロ基地局装置もしくはピコ基地局装置よりＲＲＣなどで予め端末装置に通知されても良い。例えば、Ｏｆｆ−ｓｔａｔｅのピコ基地局装置が検知信号の送信に使用するＲＥをアンテナポート０と１でＣＲＳの送信に用いるＲＥとすることを端末装置に通知するなどである。この場合、Ｏｆｆ−ｓｔａｔｅのピコ基地局装置は、上記の様に指定されたＲＥを使用し、アンテナポート０で検知信号を送信することができる。その結果、アンテナポート０で検知信号を送信できるＲＥを２倍にできる。そのため、アンテナポート０が送信する検知信号の系列はＯｎ−ｓｔａｔｅとＯｆｆ−ｓｔａｔｅで長さを切り替えることとなる。上記の例ではアンテナポート０が送信する検知信号の系列長はＯｎ−ｓｔａｔｅの場合と比較して、Ｏｆｆ−ｓｔａｔｅでは２倍となる。
【００９０】
この様に、Ｏｆｆ−ｓｔａｔｅのピコ基地局装置が検知信号を送信できるアンテナポート数やＲＥ数を制御することで、通信環境に応じて柔軟に検知信号の送信方法を切り替えることができる。また、Ｏｆｆ−ｓｔａｔｅのピコ基地局装置が検知信号を送信できるアンテナポート数やＲＥ数を制御するだけでなく、アンテナポート番号を制御情報（ＲＲＣなど）でピコ基地局装置と端末装置が共有し、制御しても良い。また、アンテナポート数の設定方法は、上記の例に限定されず、Ｏｎ−ｓｔａｔｅからＯｆｆ−ｓｔａｔｅに遷移した場合にアンテナポート数を４から２にしても良いし、アンテナポート数を２から１にしても良い。また、アンテナポート番号も上記に限定されるものではなく、アンテナポート１５〜２２を使用し、Ｏｎ−ｓｔａｔｅからＯｆｆ−ｓｔａｔｅに遷移した場合にアンテナポート数を減らしても良いし、また別のアンテナポート番号でも良い。また、アンテナポート数を減らす際に、Ｏｆｆ−ｓｔａｔｅのピコ基地局装置は検知信号の送信に使用するアンテナポートの少なくとも１つから送信する信号の送信電力を送信処理部２０５−１〜２０５―Ｍで上げても良い。
【００９１】
検知信号生成部２１２は、アンテナポート制御部４０１より検知信号に送信するアンテナポート番号もしくはアンテナポート数が入力され、アンテナポート毎に検知信号を生成する。検知信号生成部２１２は、生成した検知信号を検知信号多重部２１３−１〜２１３−Ｍに入力する。検知信号多重部２１３−１〜２１３−Ｍは、予め通知されている検知信号の送信に使用されるＲＥに検知信号を配置し、その他の送信信号と多重する。ここで、検知信号のアンテナポート毎のリソースは通知されているものとする。
【００９２】
端末装置は、検知信号検出部３１０において、アンテナポート毎の検知信号の検出を行う。検知信号検出部３１０は、アンテナポート毎の検知信号の系列と受信信号の相関値を算出し、検知信号の送信に用いられたアンテナポートの数を識別する。ここで、検知信号検出部３１０は、ピコ基地局装置がＯｎ−ｓｔａｔｅとＯｆｆ−ｓｔａｔｅの場合の検知信号を送信するアンテナポートの数やアンテナポート番号の情報が制御信号検出部３０９より入力されており、ピコ基地局装置の状態を識別する。
【００９３】
なお、本実施形態の例では検知信号を送信するアンテナポートの数のみをピコ基地局装置がＯｎ−ｓｔａｔｅかＯｆｆ−ｓｔａｔｅかによって切り替えたが、検知信号の系列も変えても良い。また、本実施形態の例ではピコ基地局装置がＯｎ−ｓｔａｔｅとＯｆｆ−ｓｔａｔｅで検知信号を送信するアンテナポートの数の情報が端末装置に通知されるものとしたが、ピコ基地局装置がＯｎ−ｓｔａｔｅの検知信号を送信するアンテナポートの数はＣＲＳやＣＳＩ−ＲＳのアンテナポート数と同様としても良い。
【００９４】
以上のように本実施形態では、ピコ基地局装置がＯｎ−ｓｔａｔｅとＯｆｆ−ｓｔａｔｅで検知信号を送信するアンテナポート数を切り替えるため、端末装置がピコ基地局装置の状態を把握することができる。その結果、端末装置がアップリンクのリソース割当要求をする際に、Ｏｆｆ−ｓｔａｔｅのピコ基地局装置に信号を送信することを回避でき、オーバヘッドの削減が可能となる。さらに、端末装置がＯｆｆ−ｓｔａｔｅのピコ基地局装置にアップリンクのリソース割当要求を行い、ピコ基地局装置をＯｎ−ｓｔａｔｅに遷移することも回避できるため、他のピコ基地局装置やマクロ基地局装置への与干渉を低減できる。そのため、システムスループットを改善できる。
【００９５】
本発明に関わる基地局装置および端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行われる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであっても良い。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００９６】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局装置および端末装置の一部、又は全部を典型的には集積回路であるＬＳＩとして実現しても良い。基地局装置および端末装置の各機能ブロックは個別にチップ化しても良いし、一部、又は全部を集積してチップ化しても良い。また、集積回路化の手法はＬＳＩに限らず専用回路、又は汎用プロセッサで実現しても良い。各機能ブロックを集積回路化した場合に、それらを制御する集積回路制御部が付加される。
【００９７】
また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【００９８】
また、本願発明は上述の実施形態に限定されるものではない。本願発明の端末装置は、移動局装置への適用に限定されるものではなく、屋内外に設置される据え置き型、又は非可動型の電子機器、たとえば、ＡＶ機器、キッチン機器、掃除・洗濯機器、空調機器、オフィス機器、自動販売機、その他生活機器などに適用できることは言うまでもない。
【００９９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【０１００】
なお、本国際出願は、２０１４年１月１４日に出願した日本国特許出願第２０１４−００３８５２号に基づく優先権を主張するものであり、日本国特許出願第２０１４−００３８５２号の全内容を本国際出願に援用する。
【符号の説明】
【０１０１】
１０…マクロ基地局装置
１１、１２…ピコ基地局装置
２１、２２…端末装置
１０１…ＤＬ信号生成部
１０２−１〜１０２−Ｍ…制御情報多重部
１０３−１〜１０３−Ｍ…参照信号多重部
１０４−１〜１０４−Ｍ…ＩＦＦＴ部
１０５−１〜１０５−Ｍ…送信処理部
１０６−１〜１０６−Ｍ…送信アンテナ
１０７…受信アンテナ
１０８…ＵＬ制御情報受信部
１０９…ＤＬ制御情報生成部
１１０…参照信号生成部
１１１…通信量管理部
１０１１…Ｓ／Ｐ部
１０１２−１〜１０１２−Ｃ…符号化部
１０１３−１〜１０１３−Ｃ…変調部
１０１４…プリコーディング部
１０１５−１〜１０１５−Ｍ…信号割当部
２０１…ＤＬ信号生成部
２０２−１〜２０２−Ｍ…制御情報多重部
２０３−１〜２０３−Ｍ…参照信号多重部
２０４−１〜２０４−Ｍ…ＩＦＦＴ部
２０５−１〜２０５−Ｍ…送信処理部
２０６−１〜２０６−Ｍ…送信アンテナ
２０７…受信アンテナ
２０８…ＵＬ制御情報受信部
２０９…ＤＬ制御情報生成部
２１０…参照信号生成部
２１１…伝送状態管理部
２１２…検知信号生成部
２１３−１〜２１３−Ｍ…検知信号多重部
３０１−１〜３０１−Ｎ…受信アンテナ
３０２−１〜３０２−Ｎ…受信処理部
３０３−１〜３０３−Ｎ…ＦＦＴ部
３０４−１〜３０４−Ｎ…検知信号分離部
３０５−１〜３０５−Ｎ…制御信号分離部
３０６−１〜３０６−Ｎ…参照信号分離部
３０７…受信信号検出部
３０８…伝搬路推定部
３０９…制御信号検出部
３１０…検知信号検出部
３１１…基地局装置状態識別部
３１２…ＵＬ制御情報生成部
３１３…ＵＬ制御情報送信部
３１４…送信アンテナ
３０７１…ＭＩＭＯ分離部
３０７２−１〜３０７２−Ｍ…信号抽出部
３０７３−１〜３０７３−Ｍ…復調部
３０７４−１〜３０７４−Ｍ…復号部
３０７５…Ｐ／Ｓ部
４０１…アンテナポート制御部
【図１】
2015107942.tif 000015
【図２】
2015107942.tif 000016
【図３】
2015107942.tif 000017
【図４】
2015107942.tif 000018
【図５】
2015107942.tif 000019
【図６】
2015107942.tif 000020
【図７】
2015107942.tif 000021
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
基地局装置と通信する端末装置であって、
前記端末装置は、
前記基地局装置から、ＣＲＳ（Cell-specific Reference Signal）、及びＲＲＣ（Radio Resource Control）の情報を受信する受信処理部と、
前記ＲＲＣの情報に基づいて、前記基地局装置によって送信される検知信号を検出する検知信号検出部と、
を備え、
前記ＣＲＳは、前記基地局装置によって、第１の物理セルＩＤを用いて生成され、
前記ＲＲＣの情報は、検知信号の検出に使用される第２の物理セルＩＤを含む、
端末装置。
【請求項２】
前記端末装置は、さらに基地局装置状態識別部を備え、
前記検知信号検出部が、前記検知信号を検出した場合、前記基地局装置状態識別部は、前記基地局装置の状態がＯｆｆ−ｓｔａｔｅであると決定する、
請求項１に記載の端末装置。
【請求項３】
前記第１の物理セルＩＤは、ＣＳＩ−ＲＳ（Channel State Information Reference Signal）、ＰＳＳ（Primary Synchronization Signal）、及びＳＳＳ（Secondary Synchronization Signal）を生成するために使用される、
請求項１又は２に記載の端末装置。
【請求項４】
前記検知信号検出部は、前記ＣＲＳ、前記ＣＳＩ−ＲＳ、前記ＰＳＳ、及び前記ＳＳＳが送信されるリソースとは異なるリソースから、前記検知信号を検出する、
請求項３に記載の端末装置。
【請求項５】
端末装置と通信する基地局装置であって、
前記基地局装置は、
Ｏｎ−ｓｔａｔｅとＯｆｆ−ｓｔａｔｅとの間で状態を切り替える伝送状態管理部と、
第１の物理セルＩＤを使用して、ＣＲＳ（Cell-specific Reference Signal）を生成する参照信号生成部と、
検知信号を生成する検知信号生成部と、
ＲＲＣ（Radio Resource Control）の情報を生成するＤＬ信号生成部と、
前記端末装置に、前記ＣＲＳ、前記検知信号、及び前記ＲＲＣの情報を送信する送信処理部と、
を備え、
前記ＲＲＣの情報は、前記端末装置における前記検出信号の検出に使用される第２の物理セルＩＤを含む、
基地局装置。
【請求項６】
前記第１の物理セルＩＤは、ＣＳＩ−ＲＳ（Channel State Information Reference Signal）、ＰＳＳ（Primary Synchronization Signal）、及びＳＳＳ（Secondary Synchronization Signal）を生成するために使用される、
請求項５に記載の基地局装置。
【請求項７】
前記送信処理部は、前記ＣＲＳ、前記ＣＳＩ−ＲＳ、前記ＰＳＳ、及び前記ＳＳＳを送信するリソースとは異なるリソースを用いて、前記検知信号を送信する、
請求項６に記載の基地局装置。
【請求項８】
基地局装置と通信する端末装置によって実行される方法であって、
前記方法は、
前記基地局装置から、ＣＲＳ（Cell-specific Reference Signal）、及びＲＲＣ（Radio Resource Control）の情報を受信するステップと、
前記ＲＲＣの情報に基づいて、前記基地局装置によって送信される検知信号を検出するステップと、
を含み、
前記ＣＲＳは、前記基地局装置によって、第１の物理セルＩＤを用いて生成され、
前記ＲＲＣの情報は、検知信号の検出に使用される第２の物理セルＩＤを含む、
方法。
【請求項９】
前記方法は、さらに、
前記検知信号を検出した場合に、前記基地局装置の状態がＯｆｆ−ｓｔａｔｅであると決定するステップを含む、
請求項８に記載の方法。
【請求項１０】
前記第１の物理セルＩＤは、ＣＳＩ−ＲＳ（Channel State Information Reference Signal）、ＰＳＳ（Primary Synchronization Signal）、及びＳＳＳ（Secondary Synchronization Signal）を生成するために使用される、
請求項８又は９に記載の方法。
【請求項１１】
前記検知信号は、前記ＣＲＳ、前記ＣＳＩ−ＲＳ、前記ＰＳＳ、及び前記ＳＳＳが送信されるリソースとは異なるリソースから検出される、
請求項１０に記載の方法。
【請求項１２】
端末装置と通信する基地局装置によって実行される方法であって、
前記方法は、
Ｏｎ−ｓｔａｔｅとＯｆｆ−ｓｔａｔｅとの間で状態を切り替えるステップと、
第１の物理セルＩＤを使用して、ＣＲＳ（Cell-specific Reference Signal）を生成するステップと、
検知信号を生成するステップと、
ＲＲＣ（Radio Resource Control）の情報を生成するステップと、
前記端末装置に、前記ＣＲＳ、前記検知信号、及び前記ＲＲＣの情報を送信するステップと、
を含み、
前記ＲＲＣの情報は、前記端末装置における前記検出信号の検出に使用される第２の物理セルＩＤを含む、
方法。
【請求項１３】
前記第１の物理セルＩＤは、ＣＳＩ−ＲＳ（Channel State Information Reference Signal）、ＰＳＳ（Primary Synchronization Signal）、及びＳＳＳ（Secondary Synchronization Signal）を生成するために使用される、
請求項１２に記載の方法。
【請求項１４】
前記検知信号は、前記ＣＲＳ、前記ＣＳＩ−ＲＳ、前記ＰＳＳ、及び前記ＳＳＳを送信するリソースとは異なるリソースを用いて送信される、
請求項１３に記載の方法。
【国際調査報告】
2015107942.tif 000022
2015107942.tif 000023
2015107942.tif 000024
2015107942.tif 000025